(57)【要約】【課題】耐湿性に優れ、そのためメタリコン電極の酸化、劣化を抑制でき、コンデンサ性能を長期間にわたって維持することが可能なテープ外装コンデンサを提供する。【解決手段】端面にメタリコン電極２を形成したコンデンサ素子１と、このコンデンサ素子１の外周部に巻回されるとともにその筒状端部３ａがコンデンサ素子１のメタリコン電極２よりも外方へと突出する外装テープ３と、この外装テープ３の突出した筒状端部３ａの内側に充填される絶縁樹脂４とを備えている。外装テープ３の巻き始めの端部Ｓがメタリコン電極２よりもコンデンサ素子１の中心側に位置し、かつ巻き終わりの端部Ｅをコンデンサ素子１のメタリコン電極２よりも外方に突出させる。【選択図】図１
2009239226.tif 000002
【特許請求の範囲】
【請求項１】
端面にメタリコン電極（２）を形成したコンデンサ素子（１）と、このコンデンサ素子（１）の外周部に巻回されるとともにその筒状端部（３ａ）がコンデンサ素子（１）のメタリコン電極（２）よりも外方へと突出する外装テープ（３）と、この外装テープ（３）の突出した筒状端部（３ａ）の内側に充填される絶縁樹脂（４）とを備えたテープ外装コンデンサにおいて、上記外装テープ（３）の巻き始めの端部（Ｓ）がメタリコン電極（２）よりもコンデンサ素子（１）の中心側に位置し、かつ巻き終わりの端部（Ｅ）がコンデンサ素子（１）のメタリコン電極（２）よりも外方に突出していることを特徴とするテープ外装コンデンサ。
【請求項２】
上記外装テープ（３）の巻き始め端部（Ｓ）の幅（ＷＳ）が、コンデンサ素子（１）の長さ（Ｌ）よりも短く、かつ巻き終わりの端部（Ｅ）の幅（ＷＥ）が、コンデンサ素子（１）の長さ（Ｌ）にメタリコン電極（２）の厚さを加えた長さよりも長いことを特徴とする請求項１のテープ外装コンデンサ。
【請求項３】
上記外装テープ（１）は、その巻き始め端部（Ｓ）から巻き終わり端部（Ｅ）に向けて次第に広幅となるように形成されていることを特徴とする請求項１または請求項２のテープ外装コンデンサ。
【発明の詳細な説明】
【技術分野】
【０００１】
この発明は、コンデンサ素子の外周部に外装テープを巻回し、テープとメタリコン電極との間に絶縁樹脂を充填した構造のテープ外装コンデンサに関するものである。
【背景技術】
【０００２】
従来のテープ外装コンデンサの一例を、図４に示している。このコンデンサは、両端部にメタリコン電極１２、１２を有するコンデンサ素子１１の外周部に外装テープ１３を巻回した構造を有している。外装テープ１３の筒状端部１３ａは、メタリコン電極１２、１２よりも外方へと突出しており、この突出した筒状端部内に絶縁樹脂１４が充填されている（例えば、特許文献１参照）。この場合、外装テープ１３としては、図５に示すように、コンデンサ素子１１の軸方向長さよりも広幅で、かつ全長にわたって同幅のものが使用されている。なお、１５、１５は引出電極である。
【特許文献１】特開２００１−０８５２６６号公報
【発明の開示】
【発明が解決しようとする課題】
【０００３】
しかしながら、上記特許文献１に記載されたテープ外装コンデンサにおいては、
メタリコン電極１２は、絶縁樹脂１４で被覆されるものの、外装テープ１３の筒状端部１３ａの外端面は、絶縁樹脂１４によって被覆されることなく、そのまま外気に曝された状態であるため、外装テープ１３の巻回層間に水分が浸透することがあり、この結果、コンデンサ素子１１の劣化、メタリコン電極１２メタリコン電極１２の酸化や劣化を招き、コンデンサ性能が損なわれることがある。また、外装テープ１３の突出した筒状の端部内には、絶縁樹脂１４が充填されるが、外装テープ１３の内周面１３ｂと絶縁樹脂１４との間から、内方へと水分（水蒸気）が侵入してくることがある。この場合、外装テープ１３の内周面１３ｂと絶縁樹脂１４との間に不可避的に形成される微小な隙間は、メタリコン電極１２に連通しているから、水分（水蒸気）がメタリコン電極１２にまで侵入することになり、この結果、メタリコン電極１２の酸化、劣化を招く。
【０００４】
この発明は、上記従来の問題点を解決するためになされたものであって、その目的は、耐湿性に優れ、そのためメタリコン電極の酸化、劣化を抑制でき、コンデンサ性能を長期間にわたって維持することが可能なテープ外装コンデンサを提供することにある。
【課題を解決するための手段】
【０００５】
この発明のテープ外装コンデンサは、端面にメタリコン電極２を形成したコンデンサ素子１と、このコンデンサ素子１の外周部に巻回されるとともにその筒状端部３ａがコンデンサ素子１のメタリコン電極２よりも外方へと突出する外装テープ３と、この外装テープ３の突出した筒状端部３ａの内側に充填される絶縁樹脂４とを備えたテープ外装コンデンサにおいて、上記外装テープ３の巻き始めの端部Ｓがメタリコン電極２よりもコンデンサ素子１の中心側に位置し、かつ巻き終わりの端部Ｅがコンデンサ素子１のメタリコン電極２よりも外方に突出していることを特徴としている。
【０００６】
また、上記外装テープ３の巻き始め端部Ｓの幅ＷＳが、コンデンサ素子１の長さＬよりも短く、かつ巻き終わりの端部Ｅの幅ＷＥが、コンデンサ素子１の長さＬにメタリコン電極２の厚さを加えた長さよりも長いことを特徴としている。
【０００７】
さらに、上記外装テープ１は、その巻き始め端部Ｓから巻き終わり端部Ｅに向けて次第に広幅となるように形成されていることを特徴としている。
【発明の効果】
【０００８】
この発明のテープ外装コンデンサによれば、外装テープ３の突出した筒状端部１３ａにおいて、従来のように外端面は露出されず、外装テープ３の外端面は絶縁樹脂４で被覆される。従って、外装テープ３の巻回層間に水分が浸透するのを抑制でき、この結果、耐湿性を向上できる。また、外装テープ３の筒状端部１３ａの巻き始め端部Ｓの内周面３ｂは、メタリコン電極２よりもさらにコンデンサ素子１の中心側の位置で、メタリコン電極２以外のコンデンサ素子１の外周部に連通するので、外装テープ３の内周面３ｂと絶縁樹脂４との間に水分が侵入しても、この水分が直接的にメタリコン電極４の接触するのが抑制され、この点においても耐湿性を向上できる。
【０００９】
また、外装テープ１は、その巻き始め端部Ｓから巻き終わり端部Ｅに向けて次第に広幅となるように形成しているので、筒状端部３ａの内周面は、外方に向けて放射状に拡開した形状となり、この部分に絶縁樹脂４が充填された状態では、巻回層間で、外装テープ３の外端縁のずれ量が大きくなり、絶縁樹脂４による巻回層間の隙間閉鎖を確実に行え、巻回層間への水分の浸透を確実に抑制することができる。
【発明を実施するための最良の形態】
【００１０】
次に、この発明のテープ外装コンデンサの具体的な実施の形態について、図面を参照しつつ詳細に説明する。この発明の一実施形態に係るテープ外装コンデンサは、図１、図２、及び図３に示すように、端面にメタリコン電極２を形成したコンデンサ素子１と、このコンデンサ素子１の外周部に巻回される外装テープ３とを備えている。外装テープ３には、コンデンサ素子１のメタリコン電極２よりも外方へと突出する筒状端部３ａが形成されており、この外装テープ３の突出した筒状端部３ａの内側に、メタリコン電極２を底部として、絶縁樹脂４が充填されている。
【００１１】
上記コンデンサ素子１としては、アルミニウムや亜鉛を蒸着した一対の金属化ポリプロピレンフィルムまたは金属化ポリエステルフィルムを重ねて巻回した構造のものを用いているし、また、メタリコン電極２は、亜鉛などの金属を溶射して形成している。さらに、外装テープ３は、例えば、プラスチックフィルムであり、絶縁樹脂４としては、エポキシ樹脂を用いている。ただ、コンデンサ素子１、メタリコン電極２、外装テープ３、絶縁樹脂４はこれらのものに限定されている訳ではなく、種々のものを用いることが可能である。なお、図において、５、５は、引出電極である。
【００１２】
そして、この実施形態において特徴的な点は、外装テープ３の形状にある。すなわち、図３に示しているように、この外装テープ３においては、その巻き始め端部Ｓの幅ＷＳがコンデンサ素子１の長さＬよりも短く、かつ巻き終わりの端部Ｅの幅ＷＥがコンデンサ素子１の長さＬにメタリコン電極２の厚さを加えた長さよりも長くしている。換言すれば、外装テープ３の巻き始めの端部Ｓが両メタリコン電極２、２よりもコンデンサ素子１の中心側に位置し、かつ巻き終わりの端部Ｅがコンデンサ素子１の両メタリコン電極２、２よりも外方に突出しているということである。そして、外装テープ１は、その巻き始め端部Ｓから巻き終わり端部Ｅに向けて次第に広幅となる台形状に形成されている。この結果、外装テープ３の筒状端部１３ａの内周面は、外方に向けて放射状（テーパ状）に拡開した形状となる。
【００１３】
この実施形態のテープ外装コンデンサによれば、外装テープ３の突出した筒状端部１３ａにおいて、従来のように外端面は露出されず、外装テープ３の外端面は絶縁樹脂４で被覆される。従って、外装テープ３の巻回層間に水分が浸透するのを抑制でき、この結果、耐湿性を向上できる。また、外装テープ１は、その巻き始め端部Ｓから巻き終わり端部Ｅに向けて次第に広幅となる台形状に形成しているので、筒状端部３ａの内周面は、外方に向けて放射状に拡開した形状となり、巻回層間においては、外装テープ３の外端縁の上下方向へのずれ量が大きくなり、この部分に絶縁樹脂４が充填された状態では、外端縁が重なって平面状になっている場合と比較して、絶縁樹脂４による巻回層間の隙間閉鎖を確実に行え、巻回層間への水分の浸透を確実に抑制することができる。さらに、外装テープ３の筒状端部１３ａの巻き始め端部Ｓの内周面３ｂは、メタリコン電極２よりもさらにコンデンサ素子１の中心側の位置で、メタリコン電極２以外のコンデンサ素子１の外周部に連通するので、外装テープ３の内周面３ｂと絶縁樹脂４との間に水分が侵入しても、この水分が直接的にメタリコン電極４の接触するのが抑制され、この点においても耐湿性を向上できる。
【００１４】
以上にこの発明の具体的な実施の形態について説明したが、この発明は上記形態に限定されるものではなく、この発明の範囲内で種々変更して実施することが可能である。例えば、外装テープ３は、図３に示すように、台形状に形成するのが好ましいが、外装テープ３の形状を滑らかに変化させるのではなく、幅の狭い状態から幅の広い状態になるよう段階的に幅を増加させていくような形状にしてもよく、極端な場合には、外装テープ３の巻き始めの端部Ｓから所定長さのが両メタリコン電極２、２よりもコンデンサ素子１の中心側に位置し、それから巻き終わりの端部Ｅに至る所定の長さがコンデンサ素子１の両メタリコン電極２、２よりも外方に突出しているような構成でもよい。さらに言えば、これら外装テープ３は単一のテープで構成する他、狭幅テープの上に、これとは別の広幅テープ
を巻回する構成としてもよい。
【図面の簡単な説明】
【００１５】
【図１】この発明の一実施形態に係るテープ外装コンデンサの絶縁樹脂を充填する前の状態を示す縦断面図である。
【図２】上記実施形態に係るテープ外装コンデンサの絶縁樹脂を充填した後の状態を示す縦断面図である。
【図３】上記実施形態において用いる外装テープを示す概略説明図である。
【図４】従来のテープ外装コンデンサを示す縦断面図である。
【図５】従来の外装テープを示す概略説明図である。
【符号の説明】
【００１６】
１・・コンデンサ素子、２・・メタリコン電極、３・・外装テープ、４・・絶縁樹脂、５・・引出電極、３ａ・・筒状端部、３ｂ・・内周面
【図１】
2009239226.tif 000003
【図２】
2009239226.tif 000004
【図３】
2009239226.tif 000005
【図４】
2009239226.tif 000006
【図５】
2009239226.tif 000007